(57)【要約】【課題】防振連結される一方の部材における取付部位の耐荷重強度を確保しつつ、簡単な構造と良好な取付作業性をもって、防振連結される一方の部材に対してブラケットを介して取り付けることが出来る、新規な構造の筒形防振装置を提供することを目的とする。【解決手段】防振連結される一方の部材２４に対して複数の箇所で固定される複数の固定手段２０ａ〜ｃを備えた取付部材１８を採用すると共に、それら複数の固定手段２０ａ〜ｃの一つを構成する固定ボルト２０ｃを一体的に軸方向外方に延び出させて、かかる固定ボルト２０ｃに対してインナ軸部材１２を一体構造又は別体構造で固定することにより、インナ軸部材１２を取付部材１８を介して防振連結される一方の部材２４に対して複数箇所で固定した。【選択図】　　　図３
2004092803.tif 000002
【特許請求の範囲】
【請求項１】
防振連結される一方の部材に取り付けられるインナ軸部材の外周側に離隔して、防振連結される他方の部材に取り付けられるアウタ筒部材を配設すると共に、該インナ軸部材と該アウタ筒部材の軸直角方向対向面間に本体ゴム弾性体を配設せしめてそれら両部材を弾性的に連結した筒形防振装置において、
前記防振連結される一方の部材に対して複数の箇所で固定される複数の固定手段を備えた取付部材を採用すると共に、それら複数の固定手段の一つを構成する固定ボルトを一体的に軸方向外方に延び出させて、該固定ボルトに対して前記インナ軸部材を一体構造又は別体構造で固定することにより、該インナ軸部材を該取付部材を介して該防振連結される一方の部材に対して複数の箇所で固定して支持せしめるようにしたことを特徴とする筒形防振装置。
【請求項２】
前記インナ軸部材を筒形状とする一方、前記固定ボルトを軸方向外方に向かってストレートに延び出させて該固定ボルトの頭部に挿通ボルトを一体形成し、該挿通ボルトを該インナ軸部材の中心孔に挿通して締付ナットで固定することにより、該固定ボルトに対して該インナ軸部材を別体構造で固定した請求項１に記載の筒形防振装置。
【請求項３】
前記固定ボルトにおける前記挿通ボルトの基端部分において、前記インナ軸部材の中心孔よりも大径の基台部を形成し、該基台部を該インナ軸部材の軸方向端部と前記取付部材の間で挟圧位置せしめた請求項２に記載の筒形防振装置。
【請求項４】
前記固定ボルトにセレーション加工を施して、前記取付部材に穿孔した取付孔に対して該固定ボルトを圧入固定した請求項１乃至３の何れかに記載の筒形防振装置。
【発明の詳細な説明】
【０００１】
【技術分野】
本発明は、筒形防振装置に係り、特に、自動車のエンジンマウント等として好適に採用される筒形防振装置に関するものである。
【０００２】
【背景技術】
従来から、振動伝達系を構成する部材間に介装される防振連結体の一種として、例えば、防振連結される一方の部材に取り付けられる内筒金具の外周側に離隔して、防振連結される他方の部材に取り付けられる外筒金具を配設すると共に、内筒金具と外筒金具の軸直角方向の対向面間に本体ゴム弾性体を配設せしめてそれら両金具を弾性的に連結した筒形防振装置が知られている。かかる筒形防振装置は、一般に、防振連結される一方の部材に固設された取付軸を内筒金具に挿通して取付軸の先端にナットを螺着して締め付けることにより、内筒金具を取付軸に取り付ける一方、防振連結される他方の部材に設けられた装着孔に外筒金具を圧入固定することによって、防振連結すべき部材間に装着されるようになっている。
【０００３】
ところで、上述の如き筒形防振装置においては、内筒金具に挿通された１本の取付軸だけで防振連結される一方の部材に取り付けられるようになっていることから、防振連結される一方の部材における取付軸の立設部位に荷重が集中して作用することとなり、防振連結される一方の部材において、筒形防振装置の取付部位の強度を確保することが難しいという問題があった。
【０００４】
また、上述の如き筒形防振装置においては、防振連結される一方の部材の強度特性や筒形防振装置の配設スペース等の関係から、防振連結される一方の部材における筒形防振装置の取付部位に対して筒形防振装置の配設位置を離隔して設定せざるを得ないこともあるが、筒形防振装置の形状や内外筒金具の相対的な配設位置が要求される防振特性によって制限されることから、そのような防振連結される一方の部材における取付部位と配設スペースの位置ずれに対して、筒形防振装置自体の設計変更で対応することが極めて困難であるという問題もあった。
【０００５】
そこで、このような問題に対処し、防振連結される一方の部材における筒形防振装置の取付部位への応力集中を軽減すると共に、筒形防振装置の配設位置を防振連結される一方の部材における取付部位から離隔して設定することを可能にするための一つの方策として、ブラケットを採用し、かかるブラケットを介して、内筒金具を防振連結される一方の部材に取り付けるようにすることが考えられる。
【０００６】
しかしながら、ブラケットを介して内筒金具を防振連結される一方の部材に取り付けるためには、内筒金具をブラケットに取り付けるための固定手段に加えて、ブラケットを防振連結される一方の部材に固定するための複数の固定手段が必要となることから、内筒金具をブラケットを介して防振連結される一方の部材に取り付けるために部品点数が多くなると共に、構造も複雑となって、取付作業も面倒で時間がかかる等という不具合があった。また、ブラケットに長尺の取付ボルトを植設して内筒金具に挿通される取付軸を構成した場合には、かかる取付ボルトの頭部が、ブラケットにおいて防振連結される一方の部材に重ね合わせられる取付面側に突出せしめられることから、ブラケットや防振連結される一方の部材を特別な形状に加工等して内筒金具に挿通されるボルトの頭部がブラケットの取付面から突出しないようにする必要もあった。
【０００７】
【解決課題】
ここにおいて、本発明は、上述の如き事情を背景として為されたものであって、その解決課題とするところは、簡単な構造と良好な取付作業性をもって、防振連結される一方の部材に対してブラケットを介して取り付けることが出来る、新規な構造の筒形防振装置を提供することにある。
【０００８】
【解決手段】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【０００９】
先ず、本発明の第一の態様は、防振連結される一方の部材に取り付けられるインナ軸部材の外周側に離隔して、防振連結される他方の部材に取り付けられるアウタ筒部材を配設すると共に、該インナ軸部材と該アウタ筒部材の軸直角方向対向面間に本体ゴム弾性体を配設せしめてそれら両部材を弾性的に連結した筒形防振装置において、前記防振連結される一方の部材に対して複数の箇所で固定される複数の固定手段を備えた取付部材を採用すると共に、それら複数の固定手段の一つを構成する固定ボルトを一体的に軸方向外方に延び出させて、該固定ボルトに対して前記インナ軸部材を一体構造又は別体構造で固定することにより、該インナ軸部材を該取付部材を介して該防振連結される一方の部材に対して複数の箇所で固定して支持せしめるようにしたことを、特徴とする。
【００１０】
このような本態様に係る筒形防振装置においては、ブラケットとしての取付部材に備えられた複数の固定手段の一つを固定ボルトで構成し、かかる固定ボルトを巧く利用して、インナ軸部材を取付部材を介して防振連結される一方の部材に固定して支持せしめるようになっていることから、インナ軸部材を取付部材に固定するための特別な部材を取付部材と別途設ける必要がなく、簡単な構造と良好な作業性をもって筒形防振装置を構成するインナ軸部材を防振連結すべき一方の部材に取り付けることが出来るのである。
【００１１】
また、本態様においては、取付部材が防振連結される一方の部材に対して複数箇所で固定されるようになっていることから、防振連結される一方の部材における取付部材の取付部位に対して筒形防振装置を通じて及ぼされる荷重を分散せしめることが可能となり、それによって、防振連結される一方の部材における耐荷重強度を有利に確保することが出来るのである。なお、本態様においては、平板形状の取付部材が防振連結される一方の部材に対して広い領域で略密接に重ね合わせられた状態で取り付けられることが望ましく、それによって、取付部材自体の耐荷重強度と併せて防振連結される一方の部材における取付部材の取付部位の耐荷重強度を一層有利に確保することが出来るのである。
【００１２】
さらに、本態様においては、インナ軸部材が取付部材を介して防振連結される一方の部材に固定されることから、取付部材上でのインナ軸部材の取付位置を適当に変更設定することによって、防振連結される部材における取付部材の固定位置から離れた位置に筒形防振装置を配設することが可能となるのであり、筒形防振装置の配設スペースが防振連結される部材への取付位置から離れている場合においても、有利に対応することが出来る。
【００１３】
また、本発明の第二の態様は、前記第一の態様に係る筒形防振装置において、前記インナ軸部材を筒形状とする一方、前記固定ボルトを軸方向外方に向かってストレートに延び出させて該固定ボルトの頭部に挿通ボルトを一体形成し、該挿通ボルトを該インナ軸部材の中心孔に挿通して締付ナットで固定することにより、該固定ボルトに対して該インナ軸部材を別体構造で固定したことを、特徴とする。このような本態様に従えば、目的とする筒形防振装置を有利に実現することが出来る。
【００１４】
また、本発明の第三の態様は、前記第一の態様に係る筒形防振装置において、前記インナ軸部材を中実ロッド形状とすると共に、該インナ軸部材を、前記固定ボルトの頭部を軸方向外方に向ってストレートに延び出させることによって、該固定ボルトに対して一体構造で固定したことを、特徴とする。このような本態様に従えば、目的とする筒形防振装置を有利に実現することが出来る。
【００１５】
また、本発明の第四の態様は、前記第二の態様に係る筒形防振装置において、前記固定ボルトにおける前記挿通ボルトの基端部分において、前記インナ軸部材の中心孔よりも大径の基台部を形成し、該基台部を該インナ軸部材の軸方向端部と前記取付部材の間で挟圧位置せしめたことを、特徴とする。このような本態様に従う構造とされた筒形防振装置においては、基台部の大きさを変更設定することによって筒形防振装置の軸方向の位置調節が可能となり、防振連結される一方の部材における取付部材の取付面と防振連結される他方の部材との取付面間距離が特定される場合においても、有利に対処することが出来るのである。また、本態様においては、取付部材に対する固定ボルトの軸方向の位置決めを容易に且つ確実に行うことが出来る。
【００１６】
また、本発明の第五の態様は、前記第一乃至第四の何れかの態様に係る筒形防振装置において、前記固定ボルトにセレーション加工を施して、前記取付部材に穿孔した取付孔に対して該固定ボルトを圧入固定したことを、特徴とする。このような本態様に従う構造とされた筒形防振装置においては、取付部材に対する固定ボルトの取り付けを容易に行うことが出来るのである。
【００１７】
【発明の実施形態】
以下、本発明を更に具体的に明らかにするために、本発明の実施形態について、図面を参照しつつ、詳細に説明する。
【００１８】
先ず、図１及び図２には、本発明の一実施形態としての筒形防振装置を構成するエンジンマウント１０の単体図が示されており、図３及び図４には、かかるエンジンマウント１０の取付状態が示されている。このエンジンマウント１０は、互いに径方向で離隔配置されたインナ軸部材としての内筒金具１２とアウタ筒部材としての外筒金具１４が、それら両金具１２，１４の間に介装された本体ゴム弾性体１６によって弾性的に連結された構造とされており、取付部材としてのクロスメンバ側ブラケット１８に複数備えられた複数の固定手段としての複数本（本実施形態では３本）のボルト２０ａ〜ｃの一つを構成する固定ボルトとしての取付ボルト２０ｃに対して内筒金具１２を固定することにより、内筒金具１２をクロスメンバ側ブラケット１８を介して防振連結される一方の部材としてのクロスメンバ（サブフレーム）２４に対して複数箇所で固定して支持せしめる一方、外筒金具１４をパワーユニット側ブラケット２６を介して防振連結される他方の部材としての後輪駆動の自動車のパワーユニットを構成するミッションユニット２８に対して固定することにより、ミッションユニット２８をクロスメンバ２４に対して防振支持せしめるようになっている。
【００１９】
より詳細には、内筒金具１２は、一定の内外形寸法で延びるストレートな円筒形状を有している。また、内筒金具１２の軸方向一方（図１中、下方）の端面には、支持板３０が固定的に設けられている。この支持板３０は、金属材によって形成されており、小判形状の平板とされている。また、支持板３０の中央部分には、貫通孔３２が形成されている。そして、支持板３０は、貫通孔３２が内筒金具１２の中心孔３４と同一中心軸上に位置せしめられるように重ね合わせられた状態で内筒金具１２に溶着固定されている。
【００２０】
一方、外筒金具１４は、内筒金具１２よりも薄肉大径でストレートに延びる筒状部３６を有しており、かかる筒状部３６は内筒金具１２よりも軸方向長さが短くされている。また、外筒金具１４の筒状部３６の軸方向一方（図１中上方）の端部には、径方向内方に広がる内フランジ３８が一体形成されている一方、筒状部３６の軸方向他方（図１中下方）の端部には、径方向外方に略小判形状をもって広がる外フランジ４０が一体形成されている。このような構造とされた外筒金具１４は、内筒金具１２に外挿されて略同心軸上で内筒金具１２の径方向外方に離隔して位置せしめられており、かかる配設状態下において、外筒金具１４に設けられた外フランジ４０は、内筒金具１２に固着された支持板３０に対向位置せしめられている。そして、これら内筒金具１２と外筒金具１４の対向面間には、本体ゴム弾性体１６が介在せしめられており、かかる本体ゴム弾性体１６によって内筒金具１２と外筒金具１４が弾性的に連結されている。
【００２１】
本体ゴム弾性体１６は、全体として厚肉の略円筒形状を有しており、その内周面に対して内筒金具１２が加硫接着されていると共に、その外周面に対して外筒金具１４が加硫接着されている。また、本体ゴム弾性体１６は、外フランジ４０と支持板３０の対向面間にも延び出しており、かかる延出部分の軸方向一方（図１中上方）の面は、外フランジ４０に加硫接着されていると共に、軸方向他方（図１中下方）の面は、支持板３０に加硫接着されている。なお、上述の説明から明らかなように、本実施形態では、本体ゴム弾性体１６は、内外筒金具１２，１４および支持板３０を備えた一体加硫成形品として形成されている。
【００２２】
これにより、本実施形態のエンジンマウント１０は、図２中の上下方向と左右方向でばね特性が異なるように設定されている。また、本実施形態では、内外筒金具１２，１４の軸方向の荷重に対して、本体ゴム弾性体１６における支持板３０と外フランジ４０の対向面間に延び出した部分が圧縮／引張変形せしめられるようになっている。なお、本体ゴム弾性体１６における軸方向一方（支持板３０が固定されていない側）の端部には、軸方向一方に開口して略一定の断面形状で周方向に連続して延びるスリット４２が形成されて、ばね特性が調整されている。また、本体ゴム弾性体１６は、内フランジ３８の上面にまで延び出しており、かかる延出部分によって緩衝ゴム４４が内フランジ３８の上面に突出して被着形成されている。
【００２３】
このような構造とされたエンジンマウント１０は、図３及び図４に示されているように、外筒金具１４がパワーユニット側ブラケット２６を介してミッションユニット２８に取り付けられるようになっていると共に、内筒金具１２がクロスメンバ側ブラケット１８を介してクロスメンバ２４に取り付けられるようになっており、それによって、ミッションユニット２８をクロスメンバ２４に対して防振支持せしめるようになっている。このパワーユニット側ブラケット２６は、固定筒部４６に対して一対の取付部４８，４８が固定的に設けられた構造とされている。固定筒部４６は、金属材によって形成されており、外筒金具１４の筒状部３６の軸方向長さと略同じ軸方向長さを有する円筒形状とされている。一方、一対の取付部４８，４８は、それぞれ、金属材によって形成されており、板状の本体部５０の長手方向一方（図３中上方）の端部に対して板状の固定部５２が本体部５０の厚さ方向一方に突出するようにして一体形成された構造とされている。ここにおいて、本実施形態では、固定部５２は、本体部５０の長手方向（図３中上下方向）に直交する方向に対して僅かに傾斜した状態で一体形成されており、それによって、固定部５２に形成された貫通孔５４の中心軸が本体部５０の長手方向に対して僅かに傾斜するようになっている。また、各取付部４８の幅方向両端部分には、補強用のリブ５６が設けられている。更に、本体部５０の幅方向中央部分は、円弧状に湾曲せしめられている。そして、これら一対の取付部４８，４８は、それぞれ、本体部５０の円弧状に湾曲せしめられた部分が固定筒部４６に重ね合わせられた状態で、固定筒部４６に溶着されており、それによって、パワーユニット側ブラケット２６が構成されている。また、かかる固定状態下において、一対の取付部４８，４８は、固定筒部４６の中心軸を挟んで径方向で対向位置せしめられている。
【００２４】
一方、クロスメンバ側ブラケット１８は、金属材によって形成されており、全体として平板形状とされている。また、クロスメンバ側ブラケット１８には、複数本（本実施形態では３本）のボルト２０ａ〜ｃが固定的に設けられている。ここにおいて、本実施形態では、それら複数本のボルト２０ａ〜ｃのうちの１本のボルト２０ｃは、他のボルト２０ａ，２０ｂと異なった構造を有する取付ボルト２０ｃとされている。この取付ボルト２０ｃは、図５にも示されているように、取付ボルト２０ｃを軸方向外方に向ってストレートに延び出させて、かかる取付ボルト２０ｃの頭部に挿通ボルト５８を一体形成した構造とされており、本実施形態では、鍛造品によって形成されている。また、取付ボルト２０ｃには、挿通ボルト５８の基端部分において、内筒金具１２の中心孔３４よりも大きな外形寸法を有する大径の基台部としての円環ブロック形状の突起６０が一体形成されている。更に、取付ボルト２０ｃの基端部側（頭部側）の外周面には、所定長さで軸方向に延びるセレーション部６２が形成されている。そして、クロスメンバ側ブラケット１８に穿孔された取付孔６４に対して取付ボルト２０ｃに形成されたセレーション部６２が圧入されることによって、取付ボルト２０ｃがクロスメンバ側ブラケット１８に対して固定的に組み付けられている。なお、取付ボルト２０ｃにおけるセレーション部６２は、鍛造等の公知の方法で形成され得る。
【００２５】
そして、パワーユニット側ブラケット２６は、固定筒部４６に対して外筒金具１４が圧入固定されることによってエンジンマウント１０に対して固定的に組み付けられており、かかる組付け状態下において、一対の取付部４８，４８にそれぞれ設けられた貫通孔５４，５４に挿通されるボルト６６，６６によって、パワーユニット側ブラケット２６がミッションユニット２８に固定されるようになっており、また、クロスメンバ側ブラケット１８は、取付ボルト２０ｃに一体形成された挿通ボルト５８が内筒金具１２の中心孔３４に挿通されて締付ナット６８が螺着されることによって内筒金具１２に対して固定的に組み付けられており、かかる組付け状態下において、クロスメンバ側ブラケット１８がクロスメンバ２４に重ね合せられて、かかるクロスメンバ側ブラケット１８に設けられた複数本のボルト２０ａ〜ｃがクロスメンバ２４に形成された貫通孔７０に挿通されてナット７２が螺着されることにより、内筒金具１２がクロスメンバ側ブラケット１８を介してクロスメンバ２４に取り付けられている。これによって、エンジンマウント１０がミッションユニット２８とクロスメンバ２４の間に装着されて、ミッションユニット２８がクロスメンバ２４に対して防振支持せしめられるようになっている。
【００２６】
また、上述のように内筒金具１２がクロスメンバ側ブラケット１８に取り付けられた状態下において、挿通ボルト５８の先端側には、ストッパプレート７４が外挿されて、かかるストッパプレート７４が内筒金具１２の軸方向一方の端部側に締付固定されている。このストッパプレート７４は、薄肉の略小判形状を有しており、円弧状に湾曲せしめられた外周縁部が外筒金具１４の内フランジ３８の軸方向上方に位置せしめられて、内フランジ３８上に突設された緩衝ゴム４４に対して、軸方向上方に離隔して対向位置せしめられている。要するに、このストッパプレート７４が緩衝ゴム４４を介して、外筒金具１４の内フランジ３８に当接することにより、内外筒金具１２，１４間の軸方向の相対的な変位量ひいてはミッションユニット２８のクロスメンバ２４に対する軸方向の相対的な変位量が、緩衝的に制限されるようになっている。また、取付ボルト２０ｃに設けられた突起６０は、支持板３０を介して内筒金具１２の軸方向端部とクロスメンバ側ブラケット１８に挟圧位置せしめられている。なお、図面上には明示されていないが、そのような装着状態下、外筒金具１４はミッションユニット２８の分担荷重が軸方向に入力されて本体ゴム弾性体１６が弾性変形せしめられることにより、図３中下方に所定量だけ変位せしめられることとなる。
【００２７】
このような構造とされたエンジンマウント１０においては、クロスメンバ側ブラケット１８をクロスメンバ２４に固定するためのボルト２０ａ〜ｃの一つを構成する取付ボルト２０ｃを巧く利用して、内筒金具１２をクロスメンバ側ブラケット１８に取り付けるようになっていることから、簡単な構造と優れた作業性をもって、内筒金具１２をクロスメンバ側ブラケット１８を介してクロスメンバ２４に取り付けることが出来るのである。
【００２８】
また、本実施形態では、クロスメンバ側ブラケット１８がクロスメンバ２４に重ね合せられて複数本のボルト２０ａ〜ｃによってクロスメンバ２４に固定されるようになっていることから、クロスメンバ２４のクロスメンバ側ブラケット１８の固定部位における強度を有利に確保することが出来るのである。
【００２９】
また、本実施形態では、クロスメンバ側ブラケット１８を介して内筒金具１２をクロスメンバ２４に取り付けるようになっていることから、エンジンマウント１０の配設スペースが制限される場合においても、有利に対処することが出来る。
【００３０】
また、本実施形態では、取付ボルト２０ｃに突起６０が設けられており、かかる突起６０が支持板３０を介して内筒金具１２とクロスメンバ側ブラケット１８に挟圧位置せしめられた状態で、内筒金具１２がクロスメンバ側ブラケット１８に取り付けられていることから、エンジンマウント１０の軸方向位置を調節することが可能となり、それによって、エンジンマウント１０の配設スペースが制限される場合においても、有利に対処することが出来る。
【００３１】
以上、本発明の一実施形態について詳述してきたが、これは、あくまでも例示であって、本発明は、かかる実施形態における具体的な記載によって、何等、限定的に解釈されるものではない。
【００３２】
例えば、前記実施形態では、内外筒金具１２，１４の軸方向荷重に対して圧縮／引張変形せしめられる本体ゴム弾性体１６を備えた筒形防振装置に対して本発明を適用したものの具体例が示されていたが、本発明は、特開平８−２１０４０７号公報等に記載されているように、インナ軸部材およびアウタ筒部材の軸方向の荷重に対して圧縮／引張変形しない本体ゴム弾性体を備えた筒形防振装置や、特開平１１−１９０３８３号公報等に記載されているように、防振連結される一方の部材に取り付けられるインナ軸部材の外周側に離隔して、防振連結される他方の部材に取り付けられるアウタ筒部材を配設せしめて、それらインナ軸部材とアウタ筒部材を本体ゴム弾性体によって弾性的に連結すると共に、該インナ軸部材と該アウタ筒部材の間への振動入力時に相対的な圧力変動が生ぜしめられる複数の流体室を形成して、それら複数の流体室を相互に接続するオリフィス通路を形成した流体封入式の筒形防振装置に対しても、適用することが出来る。
【００３３】
また、前記実施形態では、内筒金具１２が中心孔３４を備えた円筒形状とされていたが、内筒金具１２を中実ロッド形状として、かかる内筒金具１２自体を、取付ボルト２０ｃの頭部を延び出させることで、取付ボルト２０ｃに対して一体構造で固定することも、勿論、可能である。このように内筒金具１２を取付ボルト２０ｃと一体構造とすれば、内筒金具１２がクロスメンバ側ブラケット１８に対して直接に固定されることとなって、部品点数が削減されると共に、エンジンマウント１０のクロスメンバ側ブラケット１８への組付作業も容易となる。
【００３４】
さらに、前記実施形態では、挿通ボルト５８の基端部分において、突起６０が形成されていたが、かかる突起６０は必ずしも設ける必要はない。また、前記実施形態では、挿通ボルト５８の基端部に形成されたセレーション部６２がクロスメンバ側ブラケット１８に圧入固定されていたが、挿通ボルト５８をクロスメンバ側ブラケット１８に対して打ち込みや溶接等で固定することも可能であり、或いは、クロスメンバ２４に対する取付用のナット７２の締付力を利用して、挿通ボルト５８をクロスメンバ側ブラケット１８に固定するようにしても良い。
【００３５】
また、前記実施形態では、取付ボルト２０ｃは、取付ボルト２０ｃにセレーション加工を施して、クロスメンバ側ブラケット１８に穿孔した取付孔６４に対して取付ボルト２０ｃを圧入固定することによって、クロスメンバ側ブラケット１８に固定されていたが、溶接等でクロスメンバ側ブラケット１８に固定しても良い。
【００３６】
さらに、前記実施形態では、クロスメンバ側ブラケット１８は、複数本のボルト２０ａ〜ｃでクロスメンバ２４に固定されていたが、取付部材は、ボルトの他、例えば、かしめやリベット，溶接等で防振連結される一方の部材に固定することも可能である。
【００３７】
また、前記実施形態では、支持板３０の厚さ寸法を変化せしめることによって、エンジンマウント１０の軸方向位置を調節することも可能である。
【００３８】
加えて、前記実施形態では、後輪用の自動車のパワーユニットを構成するミッションユニットを支持するエンジンマウントに対して本発明を適用したものの具体例が示されていたが、本発明は、その他、パワーユニットを構成するエンジンユニットを支持するエンジンマウントやメンバマウント，ボデーマウント，キャブマウント等の他、自動車以外の各種装置における筒形防振装置に対して、何れも、適用可能である。
【００３９】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【００４０】
【発明の効果】
上述の説明から明らかなように、本発明に従う構造とされた筒形防振装置においては、取付部材を防振連結される一方の部材に固定する複数の固定手段の一つを構成する固定ボルトを巧く利用することにより、少ない部品点数と簡単な構造により優れた取付作業性をもって、インナ軸部材を取付部材を介して防振連結される一方の部材に対して取り付けることが出来るのである。
【図面の簡単な説明】
【図１】本発明の一実施形態としてのブラケット付きエンジンマウントを構成するマウント単体の縦断面図であり、図２におけるＩ−Ｉ断面に相当する図である。
【図２】図１における平面図である。
【図３】図１に示されたマウント単体を用いて構成されたブラケット付きエンジンマウントの自動車への装着状態を説明するための説明図であって、図４におけるＩＩＩ−ＩＩＩ断面に相当する図である。
【図４】図３における平面図である。
【図５】図３に示されたブラケットを構成する取付ボルトを示す正面図である。
【符号の説明】
１０　エンジンマウント（マウント単体）
１２　内筒金具
１４　外筒金具
１６　本体ゴム弾性体
１８　クロスメンバ側ブラケット
２０ａ　ボルト
２０ｂ　ボルト
２０ｃ　取付ボルト
２４　クロスメンバ
２８　ミッションユニット
【図１】
2004092803.tif 000003
【図２】
2004092803.tif 000004
【図３】
2004092803.tif 000005
【図４】
2004092803.tif 000006
【図５】
2004092803.tif 000007